(57)【特許請求の範囲】
【請求項１】
電動機と、
該電動機により回転駆動される先端工具と、
先端工具を回転可能に支持する回転軸と、
前記電動機を内蔵し前記先端工具を回転可能に保持する本体と、
前記本体下部に取付けられるベースとを有し、
該ベース底面より下方に前記先端工具の少なくとも一部を突出可能であり、前記先端工具付近で液体を用いて切断を行う電動カッタであって、
前記回転軸の後方において前記先端工具の側面に液体を排出する排出口と、該排出口の後方において前記ベースから上方に突出する液体撥ね抑制部を設けたことを特徴とする電動カッタ。
【請求項２】
前記回転軸にファンを設けると共に、
前記本体外周に前記ベースの上面に向かって後方にファン風を吹き出す吹き出し口を設け、前記液体撥ね抑制部を前記吐き出し口の後方に設けたことを特徴とする請求項１に記載の電動カッタ。
【請求項３】
前記ベースの前方において前記ベースと前記本体とは回動可能に連結され、
前記ベースの後方において任意の回動位置で本体を固定可能とするリンクを介して連結され、
前記液体撥ね抑制部は、リンクと一体に形成されていることを特徴とする請求項１又は請求項２に記載の電動カッタ。
【請求項４】
前記液体撥ね抑制部は、ベース底面に対して直角よりも前記先端工具の側に傾斜してベース上方に突出していることを特徴とする請求項１から請求項３までのいずれか１項記載の電動カッタ。
【請求項５】
液体の取り入れ口と、液体の排出口とを有する液体供給装置を有することを特徴とする請求項１から請求項４までのいずれか１項記載の電動カッタ。
【請求項６】
前記液体撥ね抑制部は弾性体で形成されており、一端をベースと連結し、他端を本体と連結し、前記本体が前記ベースに対して回動する際には前記弾性体が伸びるよう構成されていることを特徴とする請求項１から請求項５までのいずれか１項記載の電動カッタ。
【発明の詳細な説明】
【技術分野】
【０００１】
本発明は、被切断材を切断する際に、水などの液体を用いる電動カッタに関する発明である。
【背景技術】
【０００２】
従来の電動カッタの一例を図１１、図１２に示す。
【０００３】
図１１、図１２において、電動カッタ本体５１は、コンクリート等の被切断部材を切断するための先端工具５２と、この先端工具５２を回転駆動するためのモータ５３を有する。
【０００４】
モータ５３は、ハウジング５４の中に収納され、モータ冷却のファン５６は、モータの回転軸と同軸に形成されハウジング５４の中に収納される。その回転駆動力がギヤカバー５５内に収納されたギア部５７により減速された後、上記先端工具の回転軸５８に伝達される。また、ベース５９は、その下面より先端工具５２が突出するように構成されており、図示しない被切断部材を切断する先端工具５２の切込み深さを調整するためにベース５９に対して垂直な方向にほぼ円弧状のリンク６０が設けてある。ベース５９は、回動支持軸６３を中心にして電動カッタ本体を回動可能に支持している。電動カッタには、水などの液体を先端工具５２付近に供給して、石材などの被切断材の切断性を向上させ粉塵の発生を少なくするようにしたものがあった。
【０００５】
【特許文献１】特開平７−１７１８２２号
【発明の開示】
【発明が解決しようとする課題】
【０００６】
上記した構成の従来の電動カッタでは、水を供給して作業をする際に、先端工具の回転及びモータ冷却ファンの回転の影響により水が切断方向後方へと飛ぶことがあった。
【０００７】
図１２に示すように、この飛んだ水がベースと本体の隙間６４を通り抜け、切断方向後方で作業を行う作業者に当ることもあった。さらに、図１１にファン５６の風を排気する排気口があるが、排気口からの風によって水が作業者の方に飛び易くなってしまうこともあった。また、作業現場に水が飛び散ることもあった。このように、作業性が悪くなってしまう問題があった。
【０００８】
本発明の目的は、作業性の良い電動カッタを提供することにある。
【課題を解決するための手段】
【０００９】
上記目的は、電動機と、該電動機により回転駆動される先端工具と、先端工具を回転可能に支持する回転軸と、前記電動機を内蔵し前記先端工具を回転可能に保持する本体と、前記本体下部に取付けられるベースとを有し、該ベース底面より下方に前記先端工具の少なくとも一部を突出可能であり、前記先端工具付近で液体を用いて切断を行う電動カッタであって、前記回転軸の後方において前記先端工具の側面に液体を排出する排出口と、該排出口の後方において前記ベースから上方に突出する液体撥ね抑制部を設けたことを特徴とする電動カッタによって達成することができる。
【発明の効果】
【００１０】
請求項１に記載の発明によれば、電動機と、該電動機により回転駆動される先端工具と、先端工具を回転可能に支持する回転軸と、前記電動機を内蔵し前記先端工具を回転可能に保持する本体と、前記本体下部に取付けられるベースとを有し、該ベース底面より下方に前記先端工具の少なくとも一部を突出可能であり、前記先端工具付近で液体を用いて切断を行う電動カッタであって、前記回転軸の後方において前記先端工具の側面に液体を排出する排出口と、該排出口の後方において前記ベースから上方に突出する液体撥ね抑制部を設けたことを特徴とする電動カッタの構成としたために、先端工具が回転する際に先端工具付近に付着した液体が、先端工具の回転によって切断方向後方へと飛ばされた後に液体撥ね抑制部とぶつかるために、液体撥ね抑制部よりも切断方向後方に飛ぶことを抑制することができる。
【００１１】
請求項２に記載の発明によれば、前記回転軸にファンを設けると共に、前記本体外周に前記ベースの上面に向かって後方にファン風を吹き出す吹き出し口を設け、前記液体撥ね抑制部を前記吐き出し口の後方に設けたことを特徴とする請求項１に記載の電動カッタの構成としたために、ベースに水などの液体がたまった際にファン風の吹出し口より吹出すファン風によって切断方向後方へと飛ばされる液体が、液体撥ね抑制部とぶつかるために、ベースよりも切断方向後方に飛ぶことを抑制することができる。
【００１２】
請求項３に記載の発明によれば、前記ベースの前方において前記ベースと前記本体とは回動可能に連結され、前記ベースの後方において任意の回動位置で本体を固定可能とするリンクを介して連結され、前記液体撥ね抑制部は、リンクと一体に形成されていることを特徴とする請求項１又は請求項２に記載の電動カッタの構成としたために、リンクに一体に液体撥ね抑制部を設けた後にベースに取付けることができるために、容易に電動カッタを製造することができる。また、液体撥ね抑制部の取替えを行う際に、リンクのみを取り替えるのみで済むために経済的でもある。
【００１３】
請求項４に記載の発明によれば、前記液体撥ね抑制部は、ベース底面に対して直角よりも前記先端工具の側に傾斜してベース上方に突出していることを特徴とする請求項１から請求項３までのいずれか１項記載の電動カッタの構成としたので、液体撥ね抑制部にぶつかった液体が、直角よりも鋸刃側に傾斜している液体抑制部を乗り越えて後方へと移動しなければならないために、液体が後方へと移動することを抑制することができる。
【００１５】
請求項５に記載の発明によれば、液体の取り入れ口と、液体の排出口とを有する液体供給装置を有することを特徴とする請求項１から請求項４までのいずれか１項記載の電動カッタの構成としたために、水などの液体が電動カッタに供給されながら切断を行うことができるために、より容易に切断を行うことができる。
【００１６】
請求項６に記載の発明によれば、前記液体撥ね抑制部は弾性体で形成されており、一端をベースと連結し、他端を本体と連結し、前記本体が前記ベースに対して回動する際には前記弾性体が伸びるよう構成されていることを特徴とする請求項１から請求項５までのいずれか１項記載の電動カッタの構成としたために、液体撥ね抑制部は、不意に作業の際などに衝撃を受けた際に損傷を受けることを抑制することができる。また、リンクによって回動する際には、ベースと本体の間で弾性体が伸びることによって液体撥ね抑制部の面積が広くなるものである。そのため、より液体を後方へと飛ばすことを抑制することができる。
【発明を実施するための最良の形態】
【００１７】
本発明の第１の実施例を図１から図５までを用いて説明する。図１は、電動カッタの一例である電動石材カッタの正面図である。電動石材カッタは、電気によって先端工具５を回転させ、石材などを切断する機械である。
【００１８】
図２に図１の後方からの側面図を示す。電動石材カッタは、本体１と、ベース７と、ベース７に設けられるリンク６とを有する。本体１には、ハウジング２及びギヤカバ３及びハウジング２に一体に設けられるハンドル４を有する。また、ハウジング２にギアカバ３は接続されている。
【００１９】
図１に示すように、本体１は、ベース７に回動支点８及び移動規制部９によって固定される。フッ素樹脂を反本体側の表面７Ａに施したベース７には、金属製のリンク６が溶接により固定されている。
【００２０】
また、図示しないが、電動石材カッタは良く知られているように、回動支点８を回動支点として本体１がベース７に対して回動可能となっている。また、その回動は、回動支点８を回動中心として、移動軸９Ａがリンク６に設けられた回動案内穴６Ａを移動することによる。また、前記した移動規制部９は、リンク６の回動案内穴６Ａの任意の位置でリンクに対して本体１の移動を規制可能となっている。
【００２１】
本体１には、先端工具であるほぼ円形の鋸刃５が設けられており、回転軸である鋸刃軸５Ａを回転中心として回転可能になっている。鋸刃５で石材などを切断する際に粉塵などが飛散することが少なくなるように、また、石材などの切断の抵抗を少なくするために、水などの液体を鋸刃５付近又は切断する石材付近に供給するためのピーコック１０を有する。ピーコック１０は、ホース１０Ａによって水などの液体を供給される。
【００２２】
図３に電動石材カッタの内部構造を示す。ハウジング２には、モータ１２が内蔵される。モータ１２は、モータ軸１２Ａを有する。モータ軸１２Ａ上には、モータ軸１２Ａと固定されたファン１３が設けられる。ファン１３は、モータを冷却するために設けられており、図３のハウジングの紙面に向かって右側面付近から空気を導入し、ハウジング２の一部に設けられるファン風を吐き出す吐き出し口２Ａから空気を吐き出す。モータ軸には、その回転を伝達する歯車が設けられており、その歯車が、ギア５Ｂと係合することによって、回転を伝達している。ギア５Ｂは、鋸刃５が設けられる鋸刃軸５Ａ上に設けられており、このようにして、モータ１２から鋸刃５へと回転が伝達される。
【００２３】
図４にリンク６を示す。リンク６には、液体撥ね抑制部１１Ａが設けられており、鋸刃５とほぼ垂直に交わるように、また、ベースとほぼ垂直に交わるように伸びている。なお、液体撥ね抑制部１１Ａとベースとの接続している付近には、ゆるい円弧状の接続部が設けられている。リンク６と液体撥ね抑制部１１Ａは一体に設けられており、リンク６及び液体撥ね抑制部１１Ａを製造した後に、ベース７に取付けることができるようになっている。なお、リンク６及び液体撥ね抑制部１１Ａは一体の板材を加工することによって、形成されるものであるために、製造の際に容易に組立をおこなうことができる。
【００２４】
図５にベース７及びベース７に取付けられたリンク６及び液体撥ね抑制部１１Ａを表した図を示す。ベース７は回動支点８を有し、本体１側の面であるベース上面７Ａ、反本体側の面であるベース下面７Ｂを有する。ベース下面７Ｂは、石材などの切断材料と当接する面であり、摺動性をよくするために、フッ素樹脂加工が施されている。図５に示すように、リンク６はベース７上に設けられ、回動支点８からほぼＲの距離を持つように円弧状に構成されている。
【００２５】
図６にピーコックを示す。なお、図６のピーコック１０は、図１において、上方から見たものである。
【００２６】
ピーコック１０は、ピーコック１０への水などの液体の取り入れ口である水などの液体供給手段の一部であるホース１０Ａと係合する係合部１０Ｂと、ピーコック内に設けられ、水などの液体を通す空洞１０Ｄと、水などの液体の排出口である鋸刃５に紙面に向って左方向から水などの液体を供給する左液体供給部１０Ｃ１及び鋸刃５に紙面において右方向から水などの液体を供給する右液体供給部１０Ｃ２とを持つ。なお、空洞１０Ｄは、係合部１０Ｂから左右の供給部１０Ｃ１、１０Ｃ２まで水などの液体を供給できるように繋がっている。左液体供給部１０Ｃ１と、右液体供給部１０Ｃ２との間には、鋸刃５が位置する構成となっている。１０Ｃ２は、その先端付近に紙面に向って左側へと伸びる水の排出口を有しており、１０Ｃ１は、紙面に向って右方向へと伸びる水の排出口を有している。このようにして、水などの液体は、切断作業時にホース１０Ａから供給され、空洞１０Ｄを通り、図６の２つの矢印に示されるように、点線で示す鋸刃５付近へと供給される。
【００２７】
電動石材カッタの動作について説明する。電動石材カッタは、図示しない給電装置を有しており、外部の電源、又は、充電池などにより給電される。電動石材カッタは、図１のスイッチ４Ａを作業者が操作すると、電動石材カッタ内の回路に給電が行われ、モータ１２が回転する。モータ１２は、そのモータ軸１２Ａと共に回転し、そのモータ軸１２Ａ上に設けられるファン１３も回転する。ファン１３は、ハウジング２の紙面に向かって右側面付近からハウジング２内部へと空気を導入し、ハウジング２に設けられるファン風の吐き出しを行う吐き出し口２Ａよりハウジングの外部へと空気を吐き出す。また、ファン風は切断方向後方へと吹き出し、ベースの上面へと向う。
【００２８】
モータ軸１２Ａの回転はギア５Ｂによって鋸刃軸５Ａへと伝達され、鋸刃軸５Ａに設けられている鋸刃５は回転する。なお、ハンドル４には、スイッチ４Ａを押し続けるように動作させるオンロックスイッチ４Ｂが設けられている。
【００２９】
図１に示すように、鋸刃５付近に水などの液体を供給するピーコック１０が設けられており、水などの液体はホース１０Ａにより供給される。水などの液体は、ホース１０Ａによって外部より供給される構成となっており、電動石材カッタなどのスイッチとは連動していない構成となっている。
【００３０】
鋸刃５は、図１において時計回りに回転する。鋸刃５が回転するとピーコック１０から供給された水などの液体は、鋸刃５の回転によって図１の切断方向前方から切断方向後方へと向う向きに飛ばされてしまう。
【００３１】
図１から図５までに示すように、電動石材カッタの切断方向後方に、ベース７上に空間的にベース７からベース７の上方に突出し、回転軸である鋸刃軸５Ａの方向へと伸びる液体撥ね抑制部１１Ａが設けられている。その為、鋸刃５が回転する際に、鋸刃５の回転によって切断方向後方へと飛ばされる後に液体撥ね抑制部１１Ａとぶつかるために、液体撥ね抑制部１１Ａよりも切断方向後方に飛ぶことを抑制することができ、作業者付近や作業現場に水などの液体が飛散するのを抑制し、作業性を向上させることができる。
【００３２】
また、図３にはハウジングに、ファン風吹出し口１２Ａを有しており、図２に示すように、液体撥ね抑制部１１Ａが吹き出し口１２Ａの切断方向後方に位置しており、液体撥ね抑制部は吐き出し口に対応されて設けられている。その為、ベース上面７Ａに水などの液体がたまった際にファン風により切断方向後方へと飛ばされる液体が、液体撥ね抑制部１１Ａとぶつかるために、ベースよりも切断方向後方に飛ぶことを抑制することができる。
【００３３】
第１の実施例では、液体撥ね抑制部１１Ａが、鋸刃５の後方及びファン風吹き出し口１２Ａに対応する位置に少なくとも設けられている。このため、鋸刃５の回転及びファン風の吹き出しが同時に起きる場合にはより一層水などの液体が後方へと飛散することを抑制することができる。
【００３４】
また、リンク６及び液体撥ね抑制部１１Ａが一体で形成されているために、組み立て性が良いものである。
【００３５】
図７を用いて第２の実施例を説明する。図７には、リンク６の一部として設けられ、ベースに設けられた液体撥ね抑制部１１Ｂが設けられている。この液体撥ね抑制部は、ベースからほぼ６０度程度の角度を持って交わるように伸びており、ベース７底面に対して直角よりも鋸刃５側に傾斜をしている構成となっている。
【００３６】
図７に示すような液体撥ね抑制部１１Ｂがベース底面に対して直角よりも鋸刃側に傾斜してベース上方へと突出しているという液体撥ね抑制部１１Ｂがベースからほぼ６０度程度の角度を持って交わるように伸びている構成によれば、鋸刃５によって切断方向後方へと水などの液体が飛ばされる場合であっても、吐き出し口２Ａからのファン風によって飛ばされる場合であっても、同じ高さであれば液体撥ね抑制部１１Ｂが垂直方向に伸びている場合よりも後方へと移動するための抵抗が大きくなるために、後方へと水などの液体が飛ばされることを抑制することができる。
【００３７】
図８を用いて第３の実施例を説明する。図８に示す液体撥ね抑制部１１Ｃは、リンク６の一部として設けられベース７とほぼ直行するように伸びた後に、ほぼベース７と平行方向に伸びるような部分１１Ｃ１を持つ構成となっている。
【００３８】
リンク６の一部として設けられベース７とほぼ直行するように伸びた後に、ほぼベースと平行方向に伸びるような部分１１Ｃ１を持つ構成となっている。そのため、水などの液体が後方へと行くためには平行に伸びるような部分１１Ｃ１を水などの液体が乗り越えなくてはならないために、水などの液体が後方へと鋸刃５又はファン風により飛ばされることを抑制することができる。また、上記のような構成であると、前記したような切り込み深さを変更する際により更なる効果を奏し得ることができる。
【００３９】
図９を用いて第３の実施例を説明する。図９には、ベース７の切断方向最後方であって、リンク６とは別体に設けられたベース７に溶接された液体撥ね抑制部１１Ｄがある。液体撥ね抑制部１１Ｄは、ほぼベース７と直交するように伸びており、リンク６よりも上方へと伸びる構成となっている。なお、液体撥ね抑制部１１Ｄは、図４の第１の実施例のように切断方向とほぼ直交する方向であるベースの横幅と略同じ幅を有している。
【００４０】
このような構成とすることによって、ベース７より切断後方でのベースの垂直方向へとリンク６よりも上方へと伸びるものとなるために、ベース７より後方へと水などの液体が切断方向後方へと飛ぶことをほぼ完全に防止することができる。この場合には、リンクによって、本体１をベース７に対して回動支点８を中心に回動する際に、水などの液体が鋸刃５の回転により切断方向後方へと飛ばされる場合にも切断方向後方への液体撥ね抑制を行うことができる。をまた、リンク６と別体に設けられるために、ベース７にリンクとは別に取付けることができるために、組立性の向上を図ることができる。
【００４１】
図１０を用いて第４の実施例を説明する。図１０には、弾性体により構成された液体撥ね抑制部１１Ｅが設けられている。１１Ｅは、ベース７とほぼ直交する方向に伸びている。一端はベースに連結されており、他端は本体に連結されている。弾性体は、ゴムなどによって形成されており、その長さが伸びることが可能となっている。
【００４２】
弾性体により設けられているために、不意に作業時に液体撥ね抑制部に物などがぶつかった際に男性によって衝撃を小さくすることができる。また、本体とベースの間でその長さが伸びることができるために、本体がベースに対して回動支点８を回動中心として回動する際に水を後方へと飛ばすことを抑制できる面積が増加でき、よりベース７より後方へと水などの液体が飛ぶことを抑制することができる。
【００４３】
なお、本発明の実施例では、液体撥ね抑制部１１（１１Ａ、１１Ｂ、１１Ｃ、１１Ｄ、１１Ｅ）が図２に示すようにベース７上でほぼベース７の幅とほぼ同じ幅となっているが、本発明の効果を奏し得るためには、必ずしもベース７とほぼ同じ幅である必要はない。すなわち、液体撥ね抑制部１１は、図３に示すベース７の紙面に向って左側部分付近に一部でもあればその効果を奏し得ることができるものである。
【００４４】
また、液体撥ね抑制部が、ベース７上の吐き出し口２Ａの後方に一部でもあればその効果を奏し得ることができるものである。
【００４５】
なお、本発明の実施例においては、本体に取付けられるピーコック１０によって、水などの液体を供給する構成としたが、本体とは別体の液体供給装置によって切断作業時に水などの液体を供給するようにした構成であっても、また水などの液体の供給装置を有さず、石材などの上に水が張ってある状態で切断作業をする場合であっても本発明と同様の効果を奏し得ることができるものである。
【図面の簡単な説明】
【００４６】
【図１】本発明の電動石材カッタの一実施例を示す正面図
【図２】図１の右側面図
【図３】図１の右側面図の要部断面図
【図４】本発明を構成するリンクの一実施形態を示す右側面図
【図５】本発明を構成するリンク及びベースの一実施形態を示す正面図
【図６】本発明を構成するピーコックの一実施形態を示す平面図
【図７】他の実施例の液体撥ね抑制部付近を示す要部拡大正面図
【図８】他の実施例の液体撥ね抑制部付近を示す要部拡大正面図
【図９】他の実施例の液体撥ね抑制部付近を示す電動石材カッタの正面図
【図１０】他の実施例の液体撥ね抑制部付近を示す
【図１１】従来の電動石材カッタの正面図
【図１２】従来の電動石材カッタの要部断面図
【符号の説明】
【００４７】
１  本体
２  ハウジング
３  ギアカバー
４  ハンドル
５  鋸刃
６  リンク
７  ベース
８  回動支点
９  移動規制部
１０  ピーコック
１１Ａ、１１Ｂ、１１Ｃ、１１Ｄ，１１Ｅ  液体撥ね抑制部
１２  モータ
１３ファン
【図１】
0005061807.tif 000002
【図２】
0005061807.tif 000003
【図３】
0005061807.tif 000004
【図４】
0005061807.tif 000005
【図５】
0005061807.tif 000006
【図６】
0005061807.tif 000007
【図７】
0005061807.tif 000008
【図８】
0005061807.tif 000009
【図９】
0005061807.tif 000010
【図１０】
0005061807.tif 000011
【図１１】
0005061807.tif 000012
【図１２】
0005061807.tif 000013